(57)【特許請求の範囲】
【請求項１】
袋表材と袋裏材の左右両側縁に沿ってそれぞれヒートシールされ、袋内に収納物をいれていない場合には、２つ折り線を中心に２つ折りされる左右一対のサイドガゼットを有し、前記サイドガゼットに袋内の空気やガス等を袋外へ放出させるための通気孔を設けた、通気孔付きサイドガゼットを有する包装袋であって、
２つ折りされた前記サイドガゼットの上端部分を斜め折り返し線に沿って折り返して三角フラップを形成し、
折り返された前記三角フラップの縦辺は、
前記サイドガゼットの対向する部分と、前記袋表材または前記袋裏材の両側縁の対向する部分にヒートシールされており、
前記三角フラップに前記通気孔を形成する、
ことを特徴とする通気孔付きサイドガゼットを有する包装袋。
【請求項２】
請求項１記載の通気孔付きサイドガゼットを有する包装袋において、さらに、
前記三角フラップの底辺は、前記サイドガゼットの対向する部分にヒートシールされており、
当該袋内に露出する前記三角フラップの外側材、または前記三角フラップの外側材および前記三角フラップの外側材と前記サイドガゼットとの間の前記三角フラップの内側材の双方に前記通気孔を形成する、
ことを特徴とする通気孔付きサイドガゼットを有する包装袋。
【請求項３】
請求項１記載の通気孔付きサイドガゼットを有する包装袋において、さらに、
前記三角フラップの底辺は、前記サイドガゼットの対向する部分に部分的にヒートシールを行って、当該袋内の空気またはガスが袋外に放出されるようヒートシールされていない箇所があり、
当該袋内に露出する前記三角フラップの外側材、または前記三角フラップの外側材と前記サイドガゼットとの間の前記三角フラップの内側材、あるいは前記三角フラップの外側材および前記三角フラップの内側材の双方に前記通気孔を形成する、
ことを特徴とする通気孔付きサイドガゼットを有する包装袋。
【請求項４】
請求項１〜請求項３のいずれか一の請求項に記載の通気孔付きサイドガゼットを有する包装袋において、
折り返された前記三角フラップの縦辺のヒートシール部は、
前記三角フラップの縦辺上端から下端にいくに従い幅広に形成されている、
ことを特徴とする通気孔付きサイドガゼットを有する包装袋。
【請求項５】
請求項１〜請求項４のいずれか一の請求項に記載の通気孔付きサイドガゼットを有する包装袋において、さらに、
前記通気孔には、虫や異物等の混入を防止するため通気ラベルが貼り付けられている、  ことを特徴とする通気孔付きサイドガゼットを有する包装袋。
【発明の詳細な説明】
【技術分野】
【０００１】
本発明は、袋表材と袋裏材の左右両側縁に沿ってそれぞれヒートシールされ、袋内に収納物をいれていない場合には、ほぼ中心を取る２つ折り線を中心に２つ折りされる左右一対のサイドガゼット（サイドガセット）材を有し、前記サイドガゼットに袋内の空気やガス等を袋外へ放出させるための通気孔を設けた、通気孔付きサイドガゼットを有する包装袋に関する。
【背景技術】
【０００２】
例えば、コーヒー等の袋内に収納した収納物から発生するガスを袋外へ放出したり、お米等の内容物を充填した包装袋をパレット等に積載して運搬する際に、荷崩れを防止するため、サイドガゼットに通気孔を形成し、その通気孔から袋内の空気や発生したガスを袋外へ放出するようにした通気孔付きサイドガゼットを有する包装袋が提案されている（例えは、特許文献１，２参照。）。
【先行技術文献】
【特許文献】
【０００３】
【特許文献１】特開２００５−１５３９７４号公報
【特許文献２】特開２００２−２３４５４９号公報
【発明の概要】
【発明が解決しようとする課題】
【０００４】
しかし、前述の通気孔付きサイドガゼットを有する包装袋では、サイドガゼットに形成した通気孔に不織布を貼るなどして虫や異物の混入を防いでいるものの、それでも袋内に内容物を入れ、サイドガゼットが拡がると、通気孔が直接、外側に露出するため、不織布やその通気孔を介して、虫や異物が混入するおそれがあるという課題があった。
【０００５】
そこで、本発明は、サイドガゼットに袋内の空気またはガス等を袋外へ放出するための通気孔を形成する場合でも、なるべくその通気孔から虫や異物等が混入するおそれを低減することができる、通気孔付きサイドガゼットを有する包装袋を提供することを目的とする。
【課題を解決するための手段】
【０００６】
前記課題を解決するため、本発明の通気孔付きサイドガゼットを有する包装袋は、袋表材と袋裏材の左右両側縁に沿ってそれぞれヒートシールされ、袋内に収納物をいれていない場合には、２つ折り線を中心に２つ折りされる左右一対のサイドガゼットを有し、前記サイドガゼットに袋内の空気やガス等を袋外へ放出させるための通気孔を設けた、通気孔付きサイドガゼットを有する包装袋であって、２つ折りされた前記サイドガゼットの上端部分を斜め折り返し線に沿って折り返して三角フラップを形成し、折り返された前記三角フラップの縦辺は、前記サイドガゼットの対向する部分と、前記袋表材または前記袋裏材の両側縁の対向する部分にヒートシールされており、前記三角フラップに前記通気孔を形成する、ことを特徴とする通気孔付きサイドガゼットを有する包装袋である。
ここで、前記通気孔付きサイドガゼットを有する包装袋において、さらに、前記三角フラップの底辺は、前記サイドガゼットの対向する部分にヒートシールされており、当該袋内に露出する前記三角フラップの外側材、または前記三角フラップの外側材および前記三角フラップの外側材と前記サイドガゼットとの間の前記三角フラップの内側材の双方に前記通気孔を形成する、ようにしても良い。
また、前記通気孔付きサイドガゼットを有する包装袋において、さらに、前記三角フラップの底辺は、前記サイドガゼットの対向する部分に部分的にヒートシールを行って、当該袋内の空気またはガスが袋外に放出されるようヒートシールされていない箇所があり、当該袋内に露出する前記三角フラップの外側材、または前記三角フラップの外側材と前記サイドガゼットとの間の前記三角フラップの内側材、あるいは前記三角フラップの外側材および前記三角フラップの内側材の双方に前記通気孔を形成する、ようにしても良い。
また、前記通気孔付きサイドガゼットを有する包装袋において、折り返された前記三角フラップの縦辺のヒートシール部は、前記三角フラップの縦辺上端から下端にいくに従い幅広に形成されている、ようにしても良い。
また、前記通気孔付きサイドガゼットを有する包装袋において、さらに、前記通気孔には、虫や異物等の混入を防止するため通気ラベルが貼り付けられている、ようにしても良い。
【発明の効果】
【０００７】
本発明によれば、サイドガゼットの上端部分を斜め折り返し線に沿って折り返して三角フラップを形成すると共に、その折り返した三角フラップに袋内の空気またはガス等を袋外へ放出するための通気孔を形成したので、三角フラップと袋外との間にはサイドガゼットが存在することにより、通気孔が直接袋外に露出しないので、通気孔から虫や異物等が混入するおそれを低減することができる。
【図面の簡単な説明】
【０００８】
【図１】本発明の実施形態１の通気孔付きサイドガゼットを有する包装袋１の構成例を示す図である。
【図２】図１に示す実施形態１の通気孔付きサイドガゼットを有する包装袋の構成要素を示す分解図である。
【図３】図１に示す実施形態１の右側のサイドガゼットにおける通気孔の位置を示す図である。
【図４】図３に示す実施形態１の右側のサイドガゼットを２つ折り線に沿って折り畳んだ状態を示す図である。
【図５】図４に示す２つ折り線に沿って折り畳んだ状態の実施形態１の右側のサイドガゼットを、さらに斜め折り返し線に沿って折り返して三角フラップを形成した状態を示す図である。
【図６】図１に示す右側のサイドガゼットにおける袋表材と、三角フラップおよびサイドガゼットとのヒートシール部分を示す部分拡大図である。
【図７】（ａ），（ｂ）は、それぞれ、袋表材と袋裏材の右側のサイドガゼットを拡げた状態を示す図である。
【図８】（ａ），（ｂ）は、それぞれ、実施形態１の他の例を示す図である。
【図９】実施形態２の右側のサイドガゼットにおける通気孔の位置を示す図である。
【図１０】図９に示す実施形態２の右側のサイドガゼットを２つ折り線に沿って折り畳んだ状態を示す図である。
【図１１】図１０に示す２つ折り線に沿って折り畳んだ状態の実施形態２の右側のサイドガゼットを、さらに斜め折り返し線に沿って折り返して三角フラップを形成した状態を示す図である。
【図１２】実施形態２の右側のサイドガゼットの三角フラップの下辺をヒートシールしない状態を示す図である。
【図１３】実施形態２の右側のサイドガゼットの三角フラップの下辺を部分的にヒートシールした状態の一例を示す図である。
【図１４】実施形態２の右側のサイドガゼットの三角フラップの下辺を部分的にヒートシールした他の例を示す図である。
【発明を実施するための形態】
【０００９】
実施形態１．
次に、本発明の通気孔付きサイドガゼットを有する包装袋の実施形態１について説明する。
【００１０】
図１は、実施形態１の通気孔付きサイドガゼットを有する包装袋の構成例を示す図、図２は、図１に示す実施形態１の通気孔付きサイドガゼットを有する包装袋の構成要素を示す分解図である。
【００１１】
図１および図２に示すように、実施形態１の通気孔付きサイドガゼットを有する包装袋は、袋表材１と、袋裏材２と、袋表材１と袋裏材２の左右の両側縁に沿って図上鉛直方向に延び、２つ折り線３ａ，４ａに沿って２つ折りされる左右一対のサイドガゼット３，４と、袋裏材２および袋表材１の上端開口部付近にヒートシールされ凹凸（雄雌）部分が嵌ることにより繰り返し密閉したり開閉する公知のチャック５とを有する。なお、チャック５は、本発明にとっては任意の構成要素であり、チャック５が省略されていても、さらには、チャック５の代わりにスライド式のチャック等が設けられていても勿論良い。また、この包装袋を構成する袋表材１や、袋裏材２、サイドガゼット３，４は、気密性の高いプラスチック製のフィルムから構成されている。
【００１２】
左右一対のサイドガゼット３，４では、図２に示すように、それぞれ、２つ折り線３ａ，４ａを中心にサイドガゼット表材３１，４２と、サイドガゼット裏材３２，４２とが対向するように２つ折りされ、サイドガゼット３，４の上端部分を斜め折り返し線３ｂ，４ｂに沿って折り返すことにより、三角フラップ３３，４３が形成される。
【００１３】
そして、本実施形態１では、後述するように、袋内に露出することになる三角フラップ３３，４３の外側材である三角フラップ外側材３３１，４３１に、袋内の空気や発生したガスを外部に放出させるための１または複数の通気孔３４，４４を形成している。
【００１４】
次に、サイドガゼット３，４それぞれに、本発明の特徴部分である通気孔３４，４４が形成された三角フラップ３３，４３を作成するまでの手順について詳細に説明する。なお、以降参照する、図３〜図８では、図示の便宜上、図１上右側のサイドガゼット３についてのみ図示し、図１上左側のサイドガゼット４については図示しないが、同様に適用されるものとする。
【００１５】
図３は、図１に示す実施形態１の右側のサイドガゼット３における通気孔３４の位置を示す図、図４は、図３に示す実施形態１の右側のサイドガゼット３を２つ折り線３ａに沿って折り畳んだ状態を示す図、図５は、図４に示す２つ折り線３ａに沿って折り畳んだ状態の実施形態１の右側のサイドガゼット３を、さらに斜め折り返し線３ｂに沿って折り返して三角フラップ３３を形成した状態を示す図である。
【００１６】
まず、本実施形態１では、図３に示すように、図上サイドガゼット３における２つ折り線３ａより右側の上端、すなわち２つ折り線３ａを中心に２つ折りした際にサイドガゼット裏材３２側となる斜め折り返し線３ｂより上端側に、袋内の空気またはガス等を放出するための１または複数の通気孔３４を形成する。なお、ここでは、３つの通気孔３４を形成しているが、１つでも、２つでも、４つ以上でも勿論良い。また、その通気孔は、丸孔や切れ込み等、通気性が確保できるものであれば良い。なお、後述するように、この通気孔３４に、通気性を有する不織布等を貼り付けても勿論よい。
【００１７】
次に、図４に示すように、複数の通気孔３４が形成されたサイドガゼット３を、２つ折り線３ａを中心に、サイドガゼット表材３１とサイドガゼット裏材３２とが対向するように２つ折りする。
【００１８】
そして、２つ折り線３ａを中心にサイドガゼット表材３１とサイドガゼット裏材３２とが対向するように２つ折りされたサイドガゼット３の上端部分を、次に、斜め折り返し線３ｂに沿って折り返して三角フラップ３３を形成する。
【００１９】
すると、図５に示すように、三角フラップ外側材３３１に、サイドガゼット裏材３２の斜め折り返し線３ｂより上端側に形成した１または複数の通気孔３４が現れることになる。
【００２０】
ここで、三角フラップ３３は、２重であり、サイドガゼット３の上端部分を、斜め折り返し線３ｂに沿って折り返して形成しているので、サイドガゼット３を２つ折り線３ａに沿って２つ折りした際のサイドガゼット裏材３２が、三角フラップ外側材３３１となり、袋内に露出することになる。これに対し、サイドガゼット３を２つ折り線３ａに沿って２つ折りした際のサイドガゼット表材３１は、斜め折り返し線３ｂに沿って折り返して三角フラップ３３を形成すると、三角フラップ３３の内側材である三角フラップ内側材３３２となる。
【００２１】
このように、サイドガゼット３に、袋内の空気またはガス等を放出するための１または複数の通気孔３４を形成し、２つ折り線３ａに沿って２つ折りし、さらに、斜め折り返し線３ｂに沿って折り返して三角フラップ３３を設けた後、三角フラップ３３の所定幅の縦辺３３３は、図６に示すように、サイドガゼット３および袋表材１の両側縁の対向する部分にヒートシールされる一方、三角フラップ３３の所定幅の下辺３３４は、それぞれ、サイドガゼット３の対向する部分にヒートシールされる。このサイドガゼット３や袋表材１へのヒートシールにより、図６に示すように、三角フラップ３３には、縦方向ヒートシール部３３３ａと、横方向ヒートシール部３３４ａとが形成される。なお、本実施形態１では、三角フラップ３３の所定幅の下辺３３４は、後述する実施形態２のように、サイドガゼット３の対向する部分にヒートシールされていなくても、さらには、部分的にヒートシールされていても良い。
【００２２】
ここで、本実施形態１では、例えば、袋内に収納物を入れ、サイドガゼット３のサイドガゼット表材３１とサイドガゼット裏材３２とが、２つ折り線３ａを中心に拡がっても、折り畳んだサイドガゼット３のサイドガゼット表材３１とサイドガゼット裏材３２とがなるべく外側、すなわち袋表材１および袋裏材２の両端から飛び出さないように、縦方向ヒートシール部３３３ａは、三角フラップ３３の縦辺上端から下端に向かう際、途中から下方に行くに従い幅広くなるように袋中心に向かって斜め方向にヒートシールされている。これにより、結果的に、袋内に収納物を入れ、サイドガゼット３が拡がっても、通気孔３４が形成されたサイドガゼット３上端の三角フラップ３３もなるべく外側、すなわち袋表材１および袋裏材２の両端から飛び出し難くなり、虫や異物等の混入をなるべく防止することが可能となる。ただし、この縦方向ヒートシール部３３３ａの形状は、任意であり、例えば、背景技術の欄に挙げた先行文献である特開２００５−１１２３８５号公報等に開示されているように、同一幅の縦方向ヒートシール部でも、勿論良い。
【００２３】
図７（ａ），（ｂ）は、それぞれ、袋表材１と袋裏材２の右側にヒートシールして取り付けたサイドガゼット３を拡げた状態を示す図であり、図７（ａ）は、単にサイドガゼット３を拡げた状態を示しており、図７（ｂ）は、サイドガゼット３を拡げ、さらに、サイドガゼット表材３１の斜め折り返し線３ｂと、サイドガゼット裏材３２の斜め折り返し線３ｂとの間から２重の三角フラップ３３に指等を入れ、三角フラップ外側材３３１と、三角フラップ内側材３３２との間を拡げた状態を示している。
【００２４】
つまり、本実施形態１の場合、三角フラップ３の三角フラップ外側材３３１に形成された１または複数の通気孔３４は、図１等に示すように、袋内に露出されて現れることになる。
【００２５】
そして、袋内から袋外へは、図７（ａ），（ｂ）に示すように、１または複数の通気孔３４が形成された三角フラップ外側材３３１、三角フラップ内側材３３２、サイドガゼット表材３１という順番になる。
【００２６】
そのため、図７（ａ）に示すように、２つ折り線３ａに従って２つ折りされたサイドガゼット３を拡げた場合でも、図７（ｂ）に示すように、斜め折り返し線３ｂ部分に指等を入れて拡げない限り、三角フラップ外側材３３１に形成された１または複数の通気孔３４は、三角フラップ内側材３３２およびサイドガゼット表材３１に覆われた状態になるので、通気孔３４を介して虫や異物等が混入することを防止することができる。
【００２７】
ここで、図７（ｂ）に示すように、三角フラップ外側材３３１に形成された通気孔３４は、三角フラップ内側材３３２およびサイドガゼット表材３１に覆われた状態でも、斜め折り返し線３ｂ部分がヒートシールされていないので、袋内の空気や発生ガスは、袋内から袋外へ放出される。
【００２８】
なお、図８（ａ）に示すように、三角フラップ外側材３３１に形成された通気孔３４からさらに虫や異物等が混入しないように、通気性のある不織布や、２重ラベルや特殊バルブ（弁）構造になっていて内圧がかかったときのみ袋内の発生ガスを袋外へ放出する公知のコーヒー袋のガス抜き用のアロマシール等の通気ラベル３５を貼り付けても良いし、また、図８（ｂ）に示すように、三角フラップ外側材３３１に形成された通気孔３４から、さらに虫や異物等が混入しないように、空気やガスの放出口を確保するように、斜め折り返し線３ｂの一部分をヒートシールするようにしても良い。
【００２９】
従って、本実施形態１の通気孔付きサイドガゼットを有する包装袋によれば、２つ折りされたサイドガゼット３，４の上端部分を斜め折り返し線３ｂ，４ｂに沿って折り返して三角フラップ３３，４３を形成し、折り返された三角フラップ３３，４３の三角フラップ外側材３３１，４３１に通気孔３４，４４を形成したため、図７（ａ）に示すように、サイドガゼット３を拡げた場合でも、図７（ｂ）に示すように、斜め折り返し線３ｂ部分に指等を入れて拡げない限り、三角フラップ外側材３３１に形成された通気孔３４は、三角フラップ内側材３３２およびサイドガゼット表材３１に覆われた状態になり、三角フラップ３３，４３に設けた通気孔３４，４４が直接袋外に露出しないので、通気孔３４，４４により通気性を確保しつつも、通気孔３４，４４を介して虫や異物等が混入することを防止することができる。
【００３０】
実施形態２．
前記実施形態１の通気孔付きサイドガゼットを有する包装袋では、袋内に露出する三角フラップ３３，４３の三角フラップ外側材３３１，４３１に、袋内の空気や袋内の収納物から発生したガスを外部へ放出するための通気孔３４，４４を形成して説明したが、本実施形態２の通気孔付きサイドガゼットを有する包装袋では、三角フラップ３３，４３の三角フラップ内側材３３２，４３２に、通気孔３４，４４を形成したことを特徴とするものである。
【００３１】
図９〜図１１は、実施形態２の通気孔付きサイドガゼットを有する包装袋の右側のサイドガゼット３の構成例を示す図であり、図３〜図５に示す実施形態１の通気孔付きサイドガゼットを有する包装袋のサイドガゼット３の構成例に対応している。なお、左側のサイドガゼット４も同様に構成されている。
【００３２】
図９〜図１１と、図３〜図５とを比較すると明らかだが、図９に示す実施形態２では、三角フラップ３３の三角フラップ内側材３３２になる、サイドガゼット３のサイドガゼット表材３１の上端部に、袋内の空気や発生ガスを外部へ放出するための通気孔３４を形成している。
【００３３】
そのため、図１１に示すように、２つ折りしたサイドガゼット３を斜め折り返し線３ｂに沿って折り返して三角フラップ３３を形成した際、通気孔３４が形成された三角フラップ内側材３３２には、三角フラップ外側材３３１が覆い被さる。
【００３４】
その結果、実施形態２のサイドガゼット３を袋表材１および袋裏材２にヒートシールしても、実施形態２の通気孔付きサイドガゼットを有する包装袋の場合、三角フラップ内側材３３２に形成された通気孔３４は、実施形態１の場合と異なり、直接、袋内に露出することはない。
【００３５】
そのため、三角フラップ３３の底辺３３４全てを、袋表材１およびサイドガゼット表材３１にシートヒールすると、袋内の空気またはガスが袋外に放出されないので、図１２に示すように、三角フラップ３３の底辺３３４全てをヒートシールしないか、例えば、空気または内部ガスの放出口３３４ｂを確保するため、図１３に示すように、三角フラップ３３の底辺３３４の部分的にヒートシールした横方向ヒートシール部３３４ａ’を形成したり、さらには、三角フラップ３３の底辺３３４を直線の放出口３３４ｂを形成するため単に部分的にヒートシールするだけではなく、例えば、図１４に示すように、虫や異物等がさらに混入し難くなるように、三角フラップ３３の底辺３３４に直角や曲線等に折れ曲がったジグザグないしは迷路のような放出口３３４ｂ’を形成するように、横方向ヒートシール部３３４ａ”を形成するようにしても勿論よい。なお、三角フラップ３３の縦辺３３３は、前記実施形態１の場合と同様に、袋表材１およびサイドガゼット表材３１にヒートシールすることにより縦方向ヒートシール部３３３ａを形成する。
【００３６】
このようにすると、実施形態２の通気孔付きサイドガゼットを有する包装袋では、袋内に収納物を入れる等して２つ折りされたサイドガゼット３，４が拡がった場合でも、通気孔３４，４４を形成していない三角フラップ外側材３３１，４３１が袋内に露出され、通気孔３４，４４が形成された三角フラップ内側材３３２，４３２はそれぞれ三角フラップ外側材３３１，４３１と、サイドガゼット表材３１，４１との間に挟まれた状態、すなわち通気孔３４，４４がそれぞれ三角フラップ外側材３３１，４３１と、サイドガゼット表材３１，４１とにより両側から覆われた状態になる。
【００３７】
従って、本実施形態２の通気孔付きサイドガゼットを有する包装袋によれば、２つ折りされたサイドガゼット３，４の上端部分を斜め折り返し線３ｂに沿って折り返して三角フラップ３３，４３を形成し、折り返された三角フラップ３３，４３の三角フラップ内側材３３２，４３２に通気孔３４，４４を形成したため、サイドガゼット３，４を拡げた場合でも、斜め折り返し線３ｂ部分に指等を入れて拡げない限り、通気孔３４，４４が形成された三角フラップ内側材３３２，４３２は、それぞれ三角フラップ外側材３３１，４３１とサイドガゼット表材３１，４１との間に挟まれ、両側から覆われた状態になり、通気孔３４，４４が直接、袋内および袋外に露出することがなくなるので、より確実に袋内に虫や異物等の混入を防止することができる。
【００３８】
なお、上記実施形態１，２の通気孔付きサイドガゼットを有する包装袋では、左右両側のサイドガゼット３，４の三角フラップ３３，４３の三角フラップ外側材３３１，４３１または三角フラップ内側材３３２，４３２に通気孔３４，４４を形成して説明したが、本発明では、これに限らず、左右いずれか一方の三角フラップ３３，４３にのみ通気孔３４，４４を形成するようにしても勿論良いし、左右両側あるいは一方の三角フラップ３３，４３に通気孔３４，４４を形成する場合でも、三角フラップ外側材３３１および三角フラップ内側材３３２の双方に通気孔３４，４４を形成するようにしても良いし、さらには、右側の三角フラップ３３では、袋表材１側に通気孔３４を形成した三角フラップ外側材３３１がくるように三角フラップ３３を形成する一方、左側の三角フラップ４３では、それとは反対側の袋裏材２側に通気孔３４を形成した三角フラップ内側材４３２がくるように三角フラップ４３を形成するようにしても勿論よく、要は、袋内の空気またはガス等を袋外へ放出する通気孔３４，４４を、三角フラップ３３，４３に形成するように構成してあれば良い。
【符号の説明】
【００３９】
１  袋表材
２  袋裏材
３，４  サイドガゼット
３ａ，４ａ  ２つ折り線
３ｂ，４ｂ  斜め折り返し線
３１，４１  サイドガゼット表材
３２，４２  サイドガゼット裏材
３３，４３  三角フラップ
３３１，４３１  三角フラップ外側材
３３２，４３２  三角フラップ内側材
３３３，４３３  縦辺
３３４，４３４  底辺
３４  通気孔
３５  通気ラベル
【図１】
0005631154.tif 000002
【図２】
0005631154.tif 000003
【図３】
0005631154.tif 000004
【図４】
0005631154.tif 000005
【図５】
0005631154.tif 000006
【図６】
0005631154.tif 000007
【図７】
0005631154.tif 000008
【図８】
0005631154.tif 000009
【図９】
0005631154.tif 000010
【図１０】
0005631154.tif 000011
【図１１】
0005631154.tif 000012
【図１２】
0005631154.tif 000013
【図１３】
0005631154.tif 000014
【図１４】
0005631154.tif 000015